(57)【要約】      （修正有）【課題】多機能であり、低価格で安定供給が可能な多重走査式外観検査機用配線基板保持具を提供する。【解決手段】透明樹脂製本体に、凹凸フレネルレンズ、アクリルミラー、アクリルハーフミラー及び照明ランプを用いる。【選択図】図１
0003158371.tif 000002
【実用新案登録請求の範囲】
【請求項１】
プリント配線基板のフロー及びリフロー方式で実装ハンダ付け後における、電子部品等の位置関係及びハンダ付け状態の良否を検査する際使用する多重走査（マルチスキャン）式外観検査機に於いて、透明樹脂製本体に安価な市販品の凹凸フレネルレンズ、アクリルハーフミラー、アクリルミラー、照明ランプ等を組合せ、検査機に搭載されたスキャナーの限界能力を改善する簡要型焦点調整式で、多方面同時スキャンもできる、多重走査（マルチスキャン）式外観検査機用配線基板保持具。
【考案の詳細な説明】
【技術分野】
【０００１】  本考案は、プリント配線基板のフロー及びリフロー方式で実装ハンダ付け後における、電子部品等の位置関係及びハンダ付け状態の良否を検査する多重走査（マルチスキャン）式外観検査機用配線基板保持具に関する。
【背景技術】
【０００２】  多重走査式外観検査機で実装ハンダ済プリント配線基板を検査する際、工数の短縮による作業の省力化の為、なるべく一回の検査で両面実装状態の良否を判定する必要がある。従来の方法は例えば基板が両面実装の場合、表面、裏面、実装部品の高さに焦点補正する、等の多数回の検査をしていた。
【考案の開示】
【考案が解決しようとする課題】
【０００３】  しかし、前途の従来技術では、プリント配線基板上の複数の検査対象が密集する部位が干渉し、最終的に人の目視を必要としていた、又、検査機の浅い焦点深度を補正する為、高価な光学系レンズを使用していた。
【課題を解決するための手段】
【０００４】  そこで、  安価な市販品の凹凸フレネルレンズ、アクリルハーフミラー、アクリルミラー、照明ランプ等を備えた、多重走査式外観検査機用配線基板保持具の考案により課題を解決する。これにより、検査機本来の焦点深度を外れた部品や、検査対象が密集する部位、又、基板の裏面部品等の検査が一回で可能となる。（図１、図２、図３、図４参照）
【考案の効果】
【０００５】  よって、本考案により、プリント配線基板の外観検査に於ける多重走査式外観検査機使用時の基板保持具の低価格、多機能、安定供給が可能となる。
【考案を実施するための最良の形態】
【０００６】  本考案に係る多重走査式外観検査機用配線基板保持具２０は、図１、図２が示すように、透明樹脂製基板保持治具本体１（以後本体１）に焦点補正用市販凸フレネルレンズ３を微細両面テープ等でセットした透明樹脂製凸フレネルレンズ保持部品４を接着固定し、同様に市販アクリルハーフミラー５を透明樹脂製アクリルハーフミラー保持部品６にセットし本体１に接着固定する、その際ＳＭＤ等微小実装部品１９を照明する位置に市販照明ランプ１４もセットする。又、図３、図４が示すように、市販アクリルミラー７を微細両面テープ等でセットした透明樹脂製アクリルミラー保持部品８を本体１の裏面に接着固定した透明樹脂製Ｕ字部品９に接着固定する、その際、裏面実装部品１７等を照明できる位置に市販照明ランプ１４をセットし、又、裏面実装部品１７の実像を照明付きＣＣＤカメラスキャンヘッド３０に適切なピントで送る為、二点鎖線で示す光軸を満たす位置で固定する
一方の光軸上の凹フレネルレンズ１０と、凸フレネルレンズ１１と、アクリルミラー１２を微細両面テープ等でピント調整し配列した凹凸フレネルレンズ及びアクリルミラー保持部品１３にセットし本体１に接着固定する
【図面の簡単な説明】
【０００７】
【図１】  本考案の係る多重走査式外観検査機用配線基板保持具の照明付きＣＣＤカメラスキャンヘッドの位置付き平面図である。
【図２】  本考案の係る多重走査式外観検査機用配線基板保持具の照明付きＣＣＤカメラスキャンヘッドの位置付き平面図１のＡ−Ａ矢視図である。
【図３】  本考案の係る多重走査式外観検査機用配線基板保持具の照明付きＣＣＤカメラスキャンヘッドの位置付き平面図１の右９０度回転図である。
【図４】  本考案の係る多重走査式外観検査機用配線基板保持具の照明付きＣＣＤカメラスキャンヘッドの位置付き平面図１の右９０度回転図３のＢ−Ｂ矢視図である。
【符号の説明】
【０００８】１    透明樹脂製基板保持治具本体
２    実装済プリント配線基板
３    焦点補正用市販凸フレネルレンズ
４    透明樹脂製凸フレネルレンズ保持部品
５    市販アクリルハーフミラー
６    透明樹脂製アクリルハーフミラー保持部品
７    市販アクリルミラー
８    透明樹脂製アクリルミラー保持部品
９    透明樹脂製Ｕ字部品
１０  焦点延長用市販凹フレネルレンズ
１１  焦点延長用市販凸フレネルレンズ
１２  市販アクリルミラー
１３  凹凸フレネルレンズ及びアクリルミラー保持部品
１４  市販照明ランプ（図面上特に配線は省く）
１５  背高実装部品
１６  実装部品
１７  裏面実装部品
１８  横向き実装部品
１９  ＳＭＤ等微小実装部品
２０  配線基板保持具
３０  照明付きＣＣＤカメラスキャンヘッド
【図１】
0003158371.tif 000003
【図２】
0003158371.tif 000004
【図３】
0003158371.tif 000005
【図４】
0003158371.tif 000006
【手続補正書】
【提出日】平成21年10月20日(2009.10.20)
【手続補正１】
【補正対象書類名】実用新案登録請求の範囲
【補正対象項目名】全文
【補正方法】変更
【補正の内容】
【実用新案登録請求の範囲】
【請求項１】
プリント配線基板のフロー及びリフロー方式で実装ハンダ付け後における、電子部品等の位置関係及びハンダ付け状態の良否を検査する際、使用する多重走査（マルチスキャン）式外観検査機に於いて、透明樹脂製本体に、安価な市販品の凹凸フレネルレンズ、アクリルミラー、アクリルハーフミラー、照明ランプを用い、例えばフレネルレンズを用いて高さの違う電子部品等の上面ピントを一平面上に合わせる為、凹レンズ単体で画像を縮小したり、手前に凹レンズ奥に凸レンズを組合せ（ガリレオ光学系）画像を拡大する、又同時にアクリルミラーを電子部品等の側面の画像を検出できる角度に設置するが、アクリルミラー自身が他の電子部品の検出の妨げになる場合、アクリルハーフミラーを使用し、その補助光として照明ランプを用いミラー下にある部品を照らす、或は同時にプリント配線基板の裏面の部品検出にもアクリルミラーを光軸に沿って複数設置し、その補助光として照明ランプを用いる等の組合せに依り、非検査対象に予め検査し易い工夫を付加し、検査機に搭載されたスキャナーの限界能力を改善する簡要型焦点調整式で、多方面同時スキャンもできる、多重走査（マルチスキャン）式外観検査機用配線基板保持具。
【手続補正書】
【提出日】平成22年1月14日(2010.1.14)
【手続補正１】
【補正対象書類名】実用新案登録請求の範囲
【補正対象項目名】全文
【補正方法】変更
【補正の内容】
【実用新案登録請求の範囲】
【請求項１】
プリント配線基板のフロー及びリフロー方式で実装ハンダ付け後における、電子部品等の位置関係及びハンダ付け状態の良否を検査する際、使用する多重走査（マルチスキャン）式外観検査機に於いて、透明樹脂製本体に、安価な市販品の凹凸フレネルレンズ、アクリルミラー、アクリルハーフミラー、照明ランプを用い、例えばフレネルレンズを用いて高さの違う電子部品等の上面ピントを一平面上に合わせる為、凹レンズ単体で画像を縮小したり、手前に凹レンズ奥に凸レンズを組合せ（ガリレオ光学系）画像を拡大する、又同時にアクリルミラーを電子部品等の側面の画像を検出できる角度に設置するが、アクリルミラー自身が他の電子部品の検出の妨げになる場合、アクリルハーフミラーを使用し、その補助光として照明ランプを用いミラー下にある部品を照らす、或は同時にプリント配線基板の裏面の部品検出にもアクリルミラーを光軸に沿って複数設置し、その補助光として照明ランプを用い検査機に搭載されたスキャナーの限界能力を改善する簡要型焦点調整式で、多重走査（マルチスキャン）式外観検査機用配線基板保持具。